(57)【要約】【課題】グレア光を抑制しつつ、小型化が可能な車両用灯具を提供すること。【解決手段】本発明の車両用灯具は、半導体型の光源２０と、光源２０の前方に配置される第２レンズ３０と、光源２０と第２レンズ３０の間に配置され、自身の基本焦点ＰＦに仮想光源２０’を位置させたときに、その仮想光源２０’からのライトコーンＬＣを第２レンズ３０と第２レンズ３０の基本焦点ＳＦとを結ぶコーンＣに変換するように設計されている第１レンズ４０と、第１レンズ４０と光源２０の間に配置され、カットオフラインを形成するシェード５０と、を備え、第１レンズ４０は、第１レンズ４０の水平方向外側の入射面４２に入射する仮想光源２０’からの光を第２レンズ３０の水平方向外側の入射面３２に入射させるように内向きに変換して照射するように形成されている。【選択図】図２
2017050236.tif 000002
【特許請求の範囲】
【請求項１】
半導体型の光源と、
前記光源の前方に配置される第２レンズと、
前記光源と前記第２レンズの間に配置され、自身の基本焦点に仮想光源を位置させたときに、その仮想光源からのライトコーンを前記第２レンズと前記第２レンズの基本焦点とを結ぶコーンに変換するように設計されている第１レンズと、
前記第１レンズと前記光源の間に配置され、カットオフラインを形成するシェードと、を備え、
前記第１レンズは、前記第１レンズの水平方向外側の入射面に入射する前記仮想光源からの光を前記第２レンズの水平方向外側の入射面に入射させるように内向きに変換して照射するように形成されていることを特徴とする車両用灯具。
【請求項２】
前記第２レンズの入射面は、前記光源側から見て、前記第２レンズの入射面の中央側部分に入射する光をほぼ平行光の状態で前記第２レンズの出射面から前方側に照射し、前記光源側から見て、前記中央側部分よりも水平方向左側の前記第２レンズの入射面に入射する光を前記第２レンズの出射面から右側前方に照射し、前記光源側から見て、前記中央側部分よりも水平方向右側の前記第２レンズの入射面に入射する光を前記第２レンズの出射面から左側前方に照射する形状に形成されていることを特徴とする請求項１に記載の車両用灯具。
【請求項３】
前記シェードが平板状であり、
前記シェードの基準点がカットオフラインを形成する前記シェードの上辺の前記光源側の位置に設定されており、
前記第１レンズの基本焦点がほぼ前記シェードの基準点に一致するように、前記第１レンズが配置されていることを特徴とする請求項１又は請求項２に記載の車両用灯具。
【請求項４】
前記第１レンズは、前記仮想光源からの光の照射角度が、前記光源の光源光軸を基準とした水平方向角度で所定角度θ以上となる水平方向外側の外側入射面のうちの前記光源光軸とほぼ同じ鉛直方向の高さ位置から上側に位置する上部入射面に対応する上部出射面が、前記第２レンズ側から見たときに、前記第１レンズの上部入射面の上部外側に対応する前記上部出射面ほど、第２レンズの焦点位置を前記第２レンズの基本焦点に対して鉛直方向上側にズラすように形成されていることを特徴とする請求項３に記載の車両用灯具。
【請求項５】
前記第１レンズは、前記外側入射面のうちの前記光源光軸とほぼ同じ鉛直方向の高さ位置から下側に位置する下部入射面に対応する下部出射面が、前記第２レンズ側から見たときに、前記第１レンズの下部入射面の下部外側に対応する前記下部出射面ほど、第２レンズの焦点位置を前記第２レンズの基本焦点に対して鉛直方向下側にズラすように形成されていることを特徴とする請求項４に記載の車両用灯具。
【請求項６】
前記第１レンズは、前記第１レンズの基本焦点から前記第１レンズの前記入射面に直線を描いた時に、前記光源の光源光軸と前記直線とがなす鉛直方向角度が所定角度β以上となる鉛直方向上側の上側入射面に対応する部分が上側レンズ部とされており、
前記上側レンズ部は、上側入射面に対応する上側出射面が、前記第２レンズ側から見たときに、上側入射面の上側に対応する上側出射面ほど、第２レンズの焦点位置を前記第２レンズの基本焦点に対して鉛直方向上側にズラすとともに、前記第２レンズ側から見たときに、水平方向中央から右外側の上側入射面に対応する上側出射面ほど、第２レンズの焦点位置を前記第２レンズの基本焦点に対して右側にズラし、水平方向中央から左外側の上側入射面に対応する上側出射面ほど、第２レンズの焦点位置を前記第２レンズの基本焦点に対して左側にズラすように形成されていることを特徴とする請求項１から請求項３のいずれか１項に記載の車両用灯具。
【請求項７】
前記第１レンズは、前記第１レンズの基本焦点から前記第１レンズの前記入射面に直線を描いた時に、前記光源光軸と前記直線とがなす鉛直方向角度が所定角度β以上となる鉛直方向上側の上側入射面に対応する部分が上側レンズ部とされており、
前記上側レンズ部は、上側入射面に対応する上側出射面が、前記第２レンズ側から見たときに、上側入射面の上側に対応する上側出射面ほど、第２レンズの焦点位置を前記第２レンズの基本焦点に対して鉛直方向上側にズラすとともに、前記第２レンズ側から見たときに、水平方向中央から右外側の上側入射面に対応する上側出射面ほど、第２レンズの焦点位置を前記第２レンズの基本焦点に対して右側にズラし、水平方向中央から左外側の上側入射面に対応する上側出射面ほど、第２レンズの焦点位置を前記第２レンズの基本焦点に対して左側にズラすように形成されており、
前記上部入射面及び前記下部入射面が、前記上側レンズ部の下側に位置する前記第１レンズの入射面の部分であり、
前記上部出射面及び前記下部出射面が、前記上側レンズ部の下側に位置する前記第１レンズの出射面の部分であることを特徴とする請求項５に記載の車両用灯具。
【請求項８】
前記上側出射面と前記上側レンズ部の下側に位置する前記第１レンズの出射面との繋がり面は、前記上側出射面の下端から前方に延出して前記上側レンズ部の下側に位置する前記第１レンズの出射面の上端に繋がる延出面とされていることを特徴とする請求項６又は請求項７に記載の車両用灯具。
【請求項９】
前記光源に設けられる発光チップの一部に欠けがある場合には、欠けがある部分が鉛直方向下側に位置するように、前記発光チップが配置されていることを特徴とする請求項１から請求項８のいずれか１項に記載の車両用灯具。
【発明の詳細な説明】
【技術分野】
【０００１】
本発明は車両用灯具に関するものである。
【背景技術】
【０００２】
従来、車両前方側から車両後方側に向かって順に配置された、第１レンズ部、第２レンズ部、導光部及び光源を備え、前記光源からの光が、前記導光部で導光された後、前記第２レンズ部、前記第１レンズ部の順に透過して前方に照射されて、すれ違いビーム用配光パターンを形成する車両用灯具において、前記第１レンズ部及び前記第２レンズ部は、車両前後方向に延びる基準軸上に配置されており、前記導光部は、前記光源からの光が前記導光部内部に入射する入射面と、前記導光部内部に入射した前記光源からの光が出射する出射面と、を含み、前記基準軸より上に配置されており、前記導光部の出射面の下端縁は、カットオフラインに対応した形状の段差付きエッジ部を含み、前記基準軸近傍に配置されており、前記第１レンズ部及び前記第２レンズ部は、焦点が前記段差付きエッジ部近傍に位置する投影レンズを構成しており、前記光源は、横長の発光面を含み、前記横長の発光面が前記導光部の入射面近傍において当該入射面に対向した状態で前記基準軸より上かつ前記基準軸近傍に配置されており、前記導光部の出射面と前記第２レンズ部の入射面は、面接触しており、前記投影レンズの後方焦点面は、前記段差付きエッジ部に略一致していることを特徴とする車両用灯具が知られている（特許文献１参照）。
【０００３】
この車両用灯具では、光源から下方に向かう光などを導光部の下面で内面反射させるなどして光を導光部で導光し、カットオフラインが形成されるように第２レンズ部に効率よく光を入射させるようにすることで、高い光の利用効率を実現しようとするものである。
【先行技術文献】
【特許文献】
【０００４】
【特許文献１】特開２０１５―７９６６０号公報
【発明の概要】
【発明が解決しようとする課題】
【０００５】
しかしながら、導光部の下面に対して４５°を超える角度で入射する光は、全反射条件を満たさないため、漏れ光となる。
また、導光部の下面に対して全反射条件を満たす入射角度で入射するような光であっても、導光部の下面を完全な鏡面となるように製造できないことから、現実的には、そのような全反射条件を満たす入射角度で入射する光のうちの一部は、漏れ光となる。
【０００６】
ここで、第２レンズ部の下部に入射する光は、車両用灯具から前方に照射されるときに、上方側に向かう光となるためグレア光となる恐れがある。
そして、導光部の下面から漏れる漏れ光は、第２レンズ部の下部側に漏れることになるため、その漏れ光は第２レンズ部の下部に入射する恐れがあり、このためグレア光が発生する恐れがある。
本発明は、このような事情にかんがみてなされたものであり、グレア光を抑制しつつ、小型化が可能な車両用灯具を提供することを目的とする。
【課題を解決するための手段】
【０００７】
本発明は、上記目的を達成するために以下の構成によって把握される。
（１）本発明の車両用灯具は、半導体型の光源と、前記光源の前方に配置される第２レンズと、前記光源と前記第２レンズの間に配置され、自身の基本焦点に仮想光源を位置させたときに、その仮想光源からのライトコーンを前記第２レンズと前記第２レンズの基本焦点とを結ぶコーンに変換するように設計されている第１レンズと、前記第１レンズと前記光源の間に配置され、カットオフラインを形成するシェードと、を備え、前記第１レンズは、前記第１レンズの水平方向外側の入射面に入射する前記仮想光源からの光を前記第２レンズの水平方向外側の入射面に入射させるように内向きに変換して照射するように形成されている。
（２）上記（１）の構成において、前記第２レンズの入射面は、前記光源側から見て、前記第２レンズの入射面の中央側部分に入射する光をほぼ平行光の状態で前記第２レンズの出射面から前方側に照射し、前記光源側から見て、前記中央側部分よりも水平方向左側の前記第２レンズの入射面に入射する光を前記第２レンズの出射面から右側前方に照射し、前記光源側から見て、前記中央側部分よりも水平方向右側の前記第２レンズの入射面に入射する光を前記第２レンズの出射面から左側前方に照射する形状に形成されている。
（３）上記（１）又は（２）の構成において、前記シェードが平板状であり、前記シェードの基準点がカットオフラインを形成する前記シェードの上辺の前記光源側の位置に設定されており、前記第１レンズの基本焦点がほぼ前記シェードの基準点に一致するように、前記第１レンズが配置されている。
（４）上記（３）の構成において、前記第１レンズは、前記仮想光源からの光の照射角度が、前記光源の光源光軸を基準とした水平方向角度で所定角度θ以上となる水平方向外側の外側入射面のうちの前記光源光軸とほぼ同じ鉛直方向の高さ位置から上側に位置する上部入射面に対応する上部出射面が、前記第２レンズ側から見たときに、前記第１レンズの上部入射面の上部外側に対応する前記上部出射面ほど、第２レンズの焦点位置を前記第２レンズの基本焦点に対して鉛直方向上側にズラすように形成されている。
（５）上記（４）の構成において、前記第１レンズは、前記外側入射面のうちの前記光源光軸とほぼ同じ鉛直方向の高さ位置から下側に位置する下部入射面に対応する下部出射面が、前記第２レンズ側から見たときに、前記第１レンズの下部入射面の下部外側に対応する前記下部出射面ほど、第２レンズの焦点位置を前記第２レンズの基本焦点に対して鉛直方向下側にズラすように形成されている。
（６）上記（１）から（３）のいずれか１つの構成において、前記第１レンズは、前記第１レンズの基本焦点から前記第１レンズの前記入射面に直線を描いた時に、前記光源の光源光軸と前記直線とがなす鉛直方向角度が所定角度β以上となる鉛直方向上側の上側入射面に対応する部分が上側レンズ部とされており、前記上側レンズ部は、上側入射面に対応する上側出射面が、前記第２レンズ側から見たときに、上側入射面の上側に対応する上側出射面ほど、第２レンズの焦点位置を前記第２レンズの基本焦点に対して鉛直方向上側にズラすとともに、前記第２レンズ側から見たときに、水平方向中央から右外側の上側入射面に対応する上側出射面ほど、第２レンズの焦点位置を前記第２レンズの基本焦点に対して右側にズラし、水平方向中央から左外側の上側入射面に対応する上側出射面ほど、第２レンズの焦点位置を前記第２レンズの基本焦点に対して左側にズラすように形成されている。
（７）上記（５）の構成において、前記第１レンズは、前記第１レンズの基本焦点から前記第１レンズの前記入射面に直線を描いた時に、前記光源光軸と前記直線とがなす鉛直方向角度が所定角度β以上となる鉛直方向上側の上側入射面に対応する部分が上側レンズ部とされており、前記上側レンズ部は、上側入射面に対応する上側出射面が、前記第２レンズ側から見たときに、上側入射面の上側に対応する上側出射面ほど、第２レンズの焦点位置を前記第２レンズの基本焦点に対して鉛直方向上側にズラすとともに、前記第２レンズ側から見たときに、水平方向中央から右外側の上側入射面に対応する上側出射面ほど、第２レンズの焦点位置を前記第２レンズの基本焦点に対して右側にズラし、水平方向中央から左外側の上側入射面に対応する上側出射面ほど、第２レンズの焦点位置を前記第２レンズの基本焦点に対して左側にズラすように形成されており、前記上部入射面及び前記下部入射面が、前記上側レンズ部の下側に位置する前記第１レンズの入射面の部分であり、前記上部出射面及び前記下部出射面が、前記上側レンズ部の下側に位置する前記第１レンズの出射面の部分である。
（８）上記（６）又は（７）の構成において、前記上側出射面と前記上側レンズ部の下側に位置する前記第１レンズの出射面との繋がり面は、前記上側出射面の下端から前方に延出して前記上側レンズ部の下側に位置する前記第１レンズの出射面の上端に繋がる延出面とされている。
（９）上記（１）から（８）のいずれか１つの構成において、前記光源に設けられる発光チップの一部に欠けがある場合には、欠けがある部分が鉛直方向下側に位置するように、前記発光チップが配置されている。
【図面の簡単な説明】
【０００８】
【図１】本発明に係る第１実施形態の車両用灯具を備えた車両の平面図である。
【図２】本発明に係る第１実施形態の灯具ユニットの主要部の斜視図である。
【図３】本発明に係る第１実施形態のシェードを説明する図であり、（ａ）はシェードの裏面図であり、（ｂ）は斜視図である。
【図４】本発明に係る第１実施形態の第１レンズ及び第２レンズを上から見た上面図である。
【図５】本発明に係る第１実施形態の配光パターンと比較するための比較用の配光パターンを示す図である。
【図６】本発明に係る第１実施形態の第１レンズの入射面の主要な範囲を示す図である。
【図７】図５の比較用の配光パターンに対してカットオフラインの反り上がりなどを改善した後の配光パターンを示す図である。
【図８】本発明に係る第１実施形態の配光パターンを拡げる方法を説明すするための図である。
【図９】本発明に係る第１実施形態の第２レンズの配光制御を説明するための図である。
【図１０】配光パターンを拡げた状態を示す図であり、（ａ）は配光パターンを拡げる前の図７の配光パターンを示す図であり、（ｂ）は図９の構成によって配光パターンを拡げた後の本発明に係る第１実施形態の車両用灯具としての配光パターンを示す図である。
【図１１】本発明に係る第２実施形態のポイントを説明するための図であり、（ａ）は第１レンズを説明するための側面図であり、（ｂ）は第１実施形態の第１レンズの上側のレンズ部分からの光が形成する配光パターンを示す図であり、（ｃ）は第１実施形態の第１レンズの下側のレンズ部分からの光が形成する配光パターンを示す図である。
【図１２】本発明に係る第２実施形態の第１レンズだけを示す斜視図である。
【図１３】本発明に係る第２実施形態の第１レンズの入射面の主要な範囲を示す図であり、（ａ）は第２レンズの焦点位置を鉛直方向にズラすための構成を説明するための図であり、（ｂ）は第２レンズの焦点位置を水平方向にズラすための構成を説明するための図である。
【図１４】本発明に係る第２実施形態の第１レンズの上側レンズ部からの光が形成する配光パターンを示す図である。
【図１５】本発明に係る第２実施形態の車両用灯具としての配光パターンを示す図である。
【発明を実施するための形態】
【０００９】
以下、添付図面を参照して、本発明を実施するための形態（以下、「実施形態」と称する）について詳細に説明する。実施形態の説明の全体を通して同じ要素には同じ番号を付している。また、実施形態及び図中において、特に断りがない場合、「前」、「後」は、各々、車両の「前進方向」、「後進方向」を示し、「上」、「下」、「左」、「右」は、各々、車両に乗車する運転者から見た方向を示す。
【００１０】
本発明の実施形態に係る車両用灯具は、図１に示す車両１０２の前方の左右のそれぞれに設けられる車両用前照灯（１０１Ｒ、１０１Ｌ）であり、以下では単に車両用灯具と記載する。
【００１１】
（第１実施形態）
本実施形態の車両用灯具は、車両前方側に開口したハウジング（図示せず）と開口を覆うようにハウジングに取付けられるアウターレンズ（図示せず）を備え、ハウジングとアウターレンズとで形成される灯室内に灯具ユニット１０（図２参照）などが配置されている。
【００１２】
図２は、灯具ユニット１０の主要部を示す斜視図である。
図２に示すように、灯具ユニット１０は、半導体型の光源２０と、光源２０の前方に配置される第２レンズ３０と、光源２０と第２レンズ３０の間に配置される第１レンズ４０と、第１レンズ４０と光源２０の間に配置されるシェード５０と、を備えている。
【００１３】
なお、光源２０は、図示しないヒートシンクなどに取付けられ、そして、第２レンズ３０、第１レンズ４０、及び、シェード５０も図示しないホルダなどを用いてヒートシンクに対して取付けられるようになっている。
【００１４】
（光源）
光源２０は、本実施形態では、給電構造を設けたアルミ実装基板２２上に発光チップ２１を設けた半導体型のＬＥＤを用いているが、ＬＥＤに限定される必要はなく、例えば、半導体レーザ（ＬＤ）のような半導体型の光源であっても良い。
【００１５】
ところで、メーカーによっては、発光チップ２１の一部に欠けがある場合があり、このように一部に欠けがある場合には、その欠けのある部分が鉛直方向下側に位置するように配置するのが好適である。
【００１６】
このようにすることで、灯具ユニット１０から前方に光が投影されるときに、この欠けの部分を上方に投影することができ、配光パターンの上方に逃がすようにすることで良好な配光パターンを形成することが可能となる。
【００１７】
（第２レンズ）
第２レンズ３０は、透明なガラス材料や樹脂材料などを用いて形成されており、図２では、配光制御を行う部分だけを示しているが、ホルダなどに取付けられるように、例えは、車両左右幅方向（Ｘ軸方向）の両側部に図示しないフランジが設けられている。
【００１８】
本実施形態の第２レンズ３０は、光が照射される側から見る正面視で、外形が矩形状であり、光を出射する出射面３１がほぼ平らな平面となるようになっているが、平面に限らず、デザインなどの要求等に応じて自由に決めて良い。
【００１９】
一方、第２レンズ３０は、光が入射する入射面３２が光源２０側に突出する自由曲面で形成されており、具体的な配光制御の状態については後述するが、出射面３１の形状に応じて出射面３１から前方に照射される光が所定の配光パターンとなるように配光制御を行う面形状とされている。
【００２０】
また、第２レンズ３０の基本焦点ＳＦ（後方焦点）が光源２０よりも後方側となる光源光軸Ｚ上に位置している。
このようにすることで、第２レンズ３０を光源２０に近づけるように配置でき、灯具ユニット１０を前後方向にコンパクトなものとすることが可能である。
【００２１】
ここで、一般に、同じ材料であっても波長が異なると屈折率が異なり、この屈折率の波長依存性が大きいと、分光が起こりやすく、配光パターンの一部に青色分光色が現れやすくなる。
【００２２】
このため、第２レンズ３０に用いられる材料は、透明であれば、特に限定されるものではないが、屈折率の波長依存性の小さい材料にすることで分光の影響を小さくすることができるため、屈折率の波長依存性の小さいＰＭＭＡなどのアクリル系樹脂を用いるのが好適であり、本実施形態では、第２レンズ３０をアクリル系樹脂で形成している。
【００２３】
（第１レンズ）
第１レンズ４０は、透明なガラス材料や樹脂材料などを用いて形成されており、図２では、配光制御を行う部分だけを示しているが、ホルダなどに取付けられるように、例えは、車両左右方向（Ｘ軸方向）の両側部に図示しないフランジが設けられている。
【００２４】
第１レンズ４０は、光源２０からの光が入射する入射面４２が、水平方向と鉛直方向の二軸によって織り成される複合二次曲面として形成されおり、本実施形態では、第１レンズ４０の内側に緩やかに凹む曲面形状になっているが、水平方向の軸及び鉛直方向の軸が共に直線で規定される平面状の入射面にであっても良いし、例えば、水平方向の軸が直線で規定され、鉛直方向の軸が内側に湾曲した曲線で規定された第１レンズ４０内に湾曲するような入射面であっても良い。
【００２５】
一方、第１レンズ４０の出射面４１は、具体的な配光制御の状態については後述するが、入射した光が所定の出射パターンとして第２レンズ３０側に照射されるように自由曲面で形成されている。
【００２６】
第１レンズ４０は、光源２０からの光を効率よく第２レンズ３０に入射させるために、光源２０と第２レンズ３０の間に配置されているが、より具体的には、後述するシェード５０の光源光軸Ｚ上に位置するように位置決めされる基準点ＣＰに第１レンズ４０の基本焦点ＰＦ（後方焦点）が一致するように配置されている。
なお、本実施形態では、第１レンズ４０から第１レンズ４０の基本焦点ＰＦまでの距離がほぼ５．５ｍｍになっている。
【００２７】
第１レンズ４０においても、第１レンズ４０に用いられる材料は、透明であれば、特に限定されるものではないが、第１レンズ４０は、光源２０の近くに配置されることになるため、耐熱性に優れるポリカーボネート系樹脂、シリコン（ＳＬＲ）、及びガラス等で形成されることが好適であり、本実施形態では、第１レンズ４０をポリカーボネート系樹脂で形成している。
【００２８】
（シェード）
シェード５０は、例えば、光を透過しない材料を用いて形成され、光源２０からの光の一部を遮光し、配光パターンのカットオフラインを形成する。
なお、シェード５０に光を透過する透明な材料を用いる場合には、光を透過しない塗料など用いて表面コーティングを行なえば良い。
このため、先に示した従来技術のように、光が透過することでグレア光が発生するような恐れがない。
【００２９】
図３は、シェード５０だけを主に示した図になっており、図３（ａ）は光源２０側からシェード５０の裏面を見た裏面図であり、図３（ｂ）は斜視図である。
なお、図３に示されるＺ軸は、図２に示した光源光軸Ｚと同じであり、図３に示されるＸ軸は、Ｚ軸に直交する図２に示した車両左右幅方向となる水平方向の軸であり、図３に示すＹ軸はＺ軸及びＸ軸に直交する図２に示した車両上下方向となる鉛直方向の軸である。
また、図３（ｂ）では、光源２０の発光チップ２１の発光面２１ａを示すようにしている。
【００３０】
図３に示すように、本実施形態のシェード５０は平板状であり、シェード５０の上辺５１は、カットオフラインを形成するために、カットオフラインの形状に形成されている。
なお、本実施形態のシェード５０は、厚さがほぼ０．２ｍｍの金属板で形成されている。
【００３１】
そして、図３（ａ）に示すように、斜めカットオフラインを形成するための傾斜部の上側頂点に位置するようにシェード５０の基準点ＣＰが設定されており、この基準点ＣＰは図３（ｂ）に示すように、光源光軸Ｚ上に位置するとともに、シェード５０の上辺５１の光源２０側の位置に設定されている。
なお、前述した第２レンズ３０は、第２レンズ３０の基本焦点ＳＦ（図２参照）が、このシェード５０の基準点ＣＰからほぼ１４ｍｍ後方側の光源光軸Ｚ上に位置するように配置されている。
【００３２】
また、本実施形態では、シェード５０は、このシェード５０の基準点ＣＰが光源２０の発光面２１ａの発光中心からほぼ１ｍｍ前方に位置するように配置されている。
なお、上述したように、基準点ＣＰと第１レンズ４０の基本焦点ＰＦは本実施形態では一致しているので、光源２０は発光面２１ａが第１レンズ４０の基本焦点ＰＦより約１ｍｍ後方に位置するように配置されている。
【００３３】
このようにすると、図３（ｂ）に示すように、光源２０からの光の一部（光線Ｌ１参照）が、シェード５０の上辺５１の面で反射され、その反射された光（光線Ｌ１参照）が、配光パターンのカットオフラインの上方近傍に照射されるようになる。
【００３４】
つまり、シェード５０は、シェード５０の上辺５１の面で反射される光源２０からの光が、配光パターンのカットオフラインの上方近傍に照射される位置に設けられている。
この結果、カットオフラインの明暗境界線を暈すことができ、視認性の高いロービーム配光パターンとすることができるようになる。
【００３５】
次に、本実施形態の灯具ユニット１０の配光制御に関して説明する。
まず、はじめに、第１レンズ４０と第２レンズ３０の配光制御のための基本的な構成から説明を行う。
【００３６】
図４は、第１レンズ４０と第２レンズ３０だけを上から見た上面図である。
図４に示すように、この基本的な配光制御のための設計は、現実の光源２０ではなく、第１レンズ４０の基本焦点ＰＦに仮想光源２０’が存在するものと仮定して行われており、図４において、基本焦点ＰＦから第１レンズ４０及び第２レンズ３０に向けて示される多数の直線は、この仮想光源２０’からの光線を示したものになっている。
また、図４に示す符号Ｃは、第２レンズ３０と第２レンズ３０の基本焦点ＳＦとを結ぶコーンＣを示すものである。
【００３７】
図４では、仮想光源２０’からの放射光線群の放射状の光の広がりをライトコーンＬＣとして示しているが、図４を見るとわかる通り、そのライトコーンＬＣは、第２レンズ３０と第２レンズ３０の基本焦点ＳＦとを結ぶコーンＣよりも急激に広がる状態となっており、コーンＣとライトコーンＬＣの広がり方が一致していない。
【００３８】
そして、仮想光源２０’のライトコーンＬＣのまま光が第２レンズ３０側に照射され、第２レンズ３０に光を入射させる場合、第２レンズ３０をかなり大きなものにすることになる。
【００３９】
そこで、仮想光源２０’と第２レンズ３０との間に、仮想光源２０’からのライトコーンＬＣを第２レンズ３０と第２レンズ３０の基本焦点ＳＦとを結ぶコーンＣの広がり状態に合わせるように変換する第１レンズ４０を配置するようにしている。
【００４０】
しかしながら、図４を見るとわかるように、第１レンズ４０の水平方向外側の入射面４２に入射する光については、コーンＣの広がり状態と同様な広がり角度の状態に変換しても、依然として、例えば点線ＬＯで示す光線のように、第２レンズ３０の入射面３２の外側に照射されることになる。
【００４１】
そこで、さらに、第１レンズ４０は、第１レンズ４０の水平方向外側の入射面４２に入射する仮想光源２０’からの光を第２レンズ３０の水平方向外側の入射面３２に入射させるように内向きに変換して第２レンズ３０に照射するように形成されている。
つまり、第１レンズ４０は、コーンＣの広がり状態と同様な広がり角度の状態に変換しただけでは第２レンズ３０の入射面３２の横方向外側に照射される点線ＬＯで示すような光線を内向きに変換して第２レンズ３０の入射面３２に照射するように形成されている。
【００４２】
具体的には、光源光軸Ｚを基準として、第１レンズ４０の入射面４２に対する仮想光源２０’からの光の照射角度θが３５度以上となる第１レンズ４０の水平方向外側の入射面４２に入射する光について、出射面４１から光が出射するときに、出射した光が第２レンズ３０の水平方向外側の入射面３２に入射するように内向きに変換して照射するように、出射面４１が形成されている。
【００４３】
なお、本実施形態では、照射角度θが３５度以上となる第１レンズ４０の水平方向外側の入射面４２に入射する光について、内向きに変換して第２レンズ３０に照射するようにしないと入射面３２に入射しないため、照射角度θが３５度以上となる第１レンズ４０の水平方向外側の入射面４２に入射する光を内向きに変換して第２レンズ３０に照射するようにしているが、照射角度θが３５度以上であることが必須の要件でないことは言うまでもない。
【００４４】
つまり、小型化のための第２レンズ３０の大きさに応じて、上述のように、第１レンズ４０の水平方向外側の入射面４２に入射する光で、コーンＣの広がり状態と同様な広がり角度の状態に変換したときに、第２レンズ３０の入射面３２よりも外側に照射されることになる光が入射する第１レンズ４０の水平方向外側の入射面４２に入射する光について内向きに変換して第２レンズ３０に照射するようにすればよい。
【００４５】
ここで、第１レンズ４０を設けない場合について考えると、まず、第２レンズ３０の基本焦点ＳＦが仮想光源２０’の発光中心若しくは発光中心近傍に位置するようにするためには、第２レンズ３０をかなり前方に配置するようにする必要があり、そして、第２レンズ３０に仮想光源２０’からの光を無駄なく入射するようにするためには、仮想光源２０’のライトコーンＬＣの広がりに合わせるように大きな第２レンズ３０とする必要がある。
【００４６】
一方、本実施形態では、第２レンズ３０と仮想光源２０’との間に、第１レンズ４０を設け、この第１レンズ４０によって、仮想光源２０’のライトコーンＬＣの広がりを第２レンズ３０と第２レンズ３０の基本焦点ＳＦとを結ぶコーンＣの広がり状態と同様な広がり角度の状態に変換するとともに、その変換だけでは第２レンズ３０の入射面３２から外れることになる第１レンズ４０の水平方向外側の入射面４２に入射する光を第２レンズ３０の水平方向外側の入射面３２に入射させるように内向きに変換して第２レンズ３０に照射するようにしている。
【００４７】
したがって、第２レンズ３０を大幅に仮想光源２０’に近づけて配置することができるとともに、第２レンズ３０の大きさも大幅に小さくすることが可能となり、この仮想光源２０’に近づけて配置できることは、実際の光源２０（図２参照）に第２レンズ３０を近づけて配置できることを意味するので、コンパクトな灯具ユニット１０とすることができ、車両用灯具としてもコンパクトなものとすることが可能である。
【００４８】
次に、上記のような第１レンズ４０及び第２レンズ３０の基本的な構成に対して、図２を参照して説明したように、シェード５０及び光源２０を配置させ、カットオフラインを有するロービーム配光パターンを形成したときに、カットオフラインをより良好なものとするための構成について説明する。
【００４９】
図５は、本実施形態と比較するための比較例の配光パターンを示す図であり、より具体的には、上述した第１レンズ４０及び第２レンズ３０の基本的な構成に対して、シェード５０及び光源２０を加えただけの状態のときのスクリーン上での配光パターンを等光度線で示す図である。なお、図５において、ＶＵ−ＶＬはスクリーン上での鉛直線であり、ＨＬ−ＨＲはスクリーン上での水平線である。
【００５０】
なお、以降においても、スクリーン上での配光パターンが示される図においては、ＶＵ−ＶＬはスクリーン上での鉛直線であり、ＨＬ−ＨＲはスクリーン上での水平線である。
【００５１】
上述したように、シェード５０は、平板状であるため、シェード５０の基準点ＣＰと第１レンズ４０の基本焦点ＰＦとは一致しているものの、その基準点ＣＰから車両幅方向若しくは横方向に離れたシェード５０の上辺５１は、焦点ズレを起こすことになる。
【００５２】
このため、何もしないと、図５に示す丸囲み領域Ａのように下側水平カットオフラインが反り上がるようになり、また、丸囲み領域Ｂのように上側水平カットオフラインに緩やかな湾曲が現れる状態となる。
【００５３】
そこで、本実施形態では、以下で具体的に説明するように、第１レンズ４０の出射面４１の形状をこのような反り上がりや湾曲を抑制する形状にしている。
【００５４】
図６は、第１レンズ４０の入射面４２を光源２０側から見た図であり、主要な入射面４２の範囲だけを模式的に示している。
図６のＸ軸及びＹ軸は、これまでと同じであり、Ｘ軸が水平方向を示す軸であり、Ｙ軸が鉛直方向を示す軸であり、図６において上側が鉛直方向上側である。
【００５５】
入射面４２の中央側を基準に左右θの範囲は、図４を参照しながら説明した第１レンズ４０の基本焦点ＰＦに仮定した仮想光源２０’からの光の照射角度θ（本例では左右それぞれ３５°）となる範囲を示している。
【００５６】
図６では、仮想光源２０’からの光の照射角度が、光源２０の光源光軸Ｚを基準とした水平方向角度で所定角度θ以上となる水平方向外側の外側入射面に数値が記載されているが、この数値は、第２レンズ３０の焦点位置の位置ズレ量を示したものになっている。
【００５７】
具体的に説明すると、第２レンズ３０の出射面３１（図４参照）側から光を第２レンズ３０の基本焦点ＳＦ側に向けて照射すると、光は、第１レンズ４０を経由して基本焦点ＳＦ側に向かうことになる。
【００５８】
このときに、図６に示す第１レンズ４０の入射面４２の水平方向外側の外側入射面から基本焦点ＳＦ側に出射する光について、その外側入射面に記載されている数値分だけ基本焦点ＳＦに対して焦点位置がズレるようになっていることを示している。
【００５９】
なお、外側入射面に記載されている数値がプラスである場合、そこを通過する光が基本焦点ＳＦに対して鉛直方向上側にその数値の分だけ焦点位置がズレ、逆にマイナスである場合、そこを通過する光が基本焦点ＳＦに対して鉛直方向下側にその数値の分だけ焦点位置がズレることを示している（なお、数値の単位はｍｍである）。
【００６０】
また、数値間の間に点線矢印を示しているが、この矢印は、その点線矢印の基端側から矢印先端側に向かって数値が補完されるように変化することを模式的に示したものである。
そして、この入射面４２における焦点位置のズラし状態は、この入射面４２に対応する出射面４１（図４参照）の形状によって実現している。
【００６１】
つまり、  第１レンズ４０は、仮想光源２０’からの光の照射角度が、光源２０の光源光軸Ｚを基準とした水平方向角度で所定角度θ以上となる光源光軸Ｚを挟んで水平方向外側に位置する外側入射面のうちの光源光軸Ｚとほぼ同じ鉛直方向の高さ位置（基本焦点ＰＦと同じ高さ位置）から上側に位置する２つの上部入射面４２ａに対応する上部出射面が、第１レンズ４０の上部入射面４２ａの上部外側に対応する上部出射面ほど、第２レンズ３０の焦点位置を第２レンズ３０の基本焦点ＳＦに対して鉛直方向上側にズラすように形成されている。
【００６２】
なお、図６では、光源２０側から入射面４２を見ている図になっているが、第２レンズ３０側から見ても、第１レンズ４０の上部入射面４２ａの上部外側に対応する上部出射面ほど、第２レンズ３０の焦点位置を第２レンズの基本焦点ＳＦに対して鉛直方向上側にズラすように形成されている状態になっている。
【００６３】
ここで、図６の左側の上部入射面４２ａが図５の配光パターンＬＰの右側のカットオフラインの反り上がり部分（図５の丸囲み領域Ａ）への寄与度が高く、図６の右側の上部入射面４２ａが図５の配光パターンＬＰの左側のカットオフラインの湾曲部分（図５の丸囲み領域Ｂ）への寄与度が高く、上述のように、第２レンズ３０の焦点位置を基本焦点ＳＦに対して鉛直方向上側にズラすようにすると、この部分に対応した第２レンズ３０の出射面３１から前方に照射される光は下側に下がるようになる。
【００６４】
この結果、反り上がり部分（図５の丸囲み領域Ａ）及び湾曲部分（図５の丸囲み領域Ｂ）が下側に下がるように調節されることになり、フラットなカットオフラインとなる。
【００６５】
一方、本実施形態では、さらに、図６に示すように、第１レンズ４０は、外側入射面のうちの光源光軸Ｚとほぼ同じ鉛直方向の高さ位置（基本焦点ＰＦと同じ高さ位置）から下側に位置する２つの下部入射面４２ｂに対応する下部出射面についても、第１レンズ４０の下部入射面４２ｂの下部外側に対応する下部出射面ほど、第２レンズ３０の焦点位置を第２レンズ３０の基本焦点に対して鉛直方向下側にズラすように形成している。
【００６６】
なお、図６では、光源２０側から入射面４２を見ている図になっているが、第２レンズ３０側から見ても、第１レンズ４０の下部入射面４２ｂの下部外側に対応する下部出射面ほど、第２レンズ３０の焦点位置を第２レンズ３０の基本焦点に対して鉛直方向下側にズラすように形成されている状態になっている。
【００６７】
つまり、この第１レンズ４０の下部入射面４２ｂを通過する光については、少し配光パターンＬＰ（図５参照）の上側に上がるように調整することで、先ほどの上部入射面４２ａによる調整と合わせることでより配光パターンＬＰの左側の上側水平カットオフライン及び配光パターンＬＰの右側の下側水平カットオフラインのフラット化を行うようにしている。
【００６８】
このような配光制御を行うようにすると、図７に示す配光パターンＬＰの状態となり、先ほど図５で見られていた反り上がりや湾曲の無い良好な配光パターンＬＰとなる。
【００６９】
ところで、本実施形態では、図７に示す配光パターンＬＰよりも、さらに配光パターンを水平方向に拡げ視認性向上を図っているため、以下、そのための配光制御の構成に関して説明する。
【００７０】
図８は、第１レンズ４０、シェード５０、及び、光源２０の発光チップ２１を上から見た上面図であり、図８上側には、模式的な配光パターンの図を合わせて示しており、図８では、新たに符号ＣＰ’のポイントが加わっている。
このＣＰ’は、光源光軸Ｚ上に位置するシェード５０の上辺５１の第１レンズ４０側の位置である。
【００７１】
そして、図８に示すように、発光チップ２１の左右両端から位置ＣＰ’を通る線（矢印Ｔ１、Ｔ２参照）によってエリアを区切ると、まず、線で挟まれるエリア（１）の範囲内の光は、図８の上側に示す（１）の配光パターンを形成している。
つまり、エリア（１）の範囲内の光は、配光パターンの全体の形状とほぼ同じ形状の配光パターンを形成する。
【００７２】
一方、左側のエリア（２）の範囲内の光は、図８の上側に示す（２）の配光パターン、つまり、右側の下側カットオフラインに対応する配光パターン部分の形状とほぼ同じ形状の配光パターンを形成している。
【００７３】
同様に、右側のエリア（３）の範囲内の光は、図８の上側に示す（３）の配光パターン、つまり、左側の上側カットオフライン及び斜めカットオフラインに対応する配光パターン部分の形状とほぼ同じ形状の配光パターンを形成している。
【００７４】
そして、これら（１）〜（３）の配光パターンが多重されることで図７に示した配光パターンＬＰを形成している。
このことから、（２）及び（３）の配光パターンが（１）の配光パターンに対して左右方向にズラすように多重させるようにすることで配光パターンを水平方向に拡げることができる。
【００７５】
具体的には、（３）の配光パターンが（１）の配光パターンの左側にズレるように配光制御して多重させるようにすることで斜めカットオフラインに影響を与えずに全体の配光パターンの水平方向の範囲を左側に拡げることができ、同様に、（２）の配光パターンが（１）の配光パターンの右側にズレるように配光制御して多重させるようにすることで、やはり、カットオフラインに影響を与えることなく、全体の配光パターンの水平方向の範囲を右側に拡げることができる。
【００７６】
そこで、本実施形態では、このような配光制御を第２レンズ３０で行うようにしている。
図９は、第２レンズ３０の配光制御を説明するための図である。
図９でも、図８での説明に合わせて、第２レンズ３０から出射する光のどの範囲が、図８に示したエリア（１）、（２）、及び、（３）の光に対応しているのかを、両矢印で範囲（１）、（２）、及び、（３）として示している。
【００７７】
先に、説明したように、第２レンズ３０は、出射面３１に関しては、任意であり、その与えられた出射面３１の形状を考慮して入射面３２の形状を制御することで配光制御を行っている。
なお、図９においても、光線に関しては、仮想光源２０’からの光線を描いている。
【００７８】
図９に示すように、第２レンズ３０の入射面３２は、光源２０（図２参照）側から見て、第２レンズの入射面３２の図８で示したエリア（１）に対応する中央側部分に入射する光をほぼ平行光の状態で第２レンズ３０の出射面３１（図９の両矢印（１）の範囲参照）から前方側に照射し、光源２０側から見て、図８で示したエリア（１）に対応する中央側部分よりも水平方向左側の第２レンズ３０の入射面３２に入射する光を第２レンズ３０の出射面３１（図９の両矢印（２）の範囲参照）から右側前方に照射し、光源２０側から見て、図８で示したエリア（３）に対応する中央側部分よりも水平方向右側の第２レンズ３０の入射面３２に入射する光を第２レンズ３０の出射面３１（図９の両矢印（３）の範囲参照）から左側前方に照射する形状に形成されている。
【００７９】
図１０は、配光パターンを拡げた結果を示すための図であり、図１０（ａ）は、配光パターンＬＰを拡げる前の図７に示したスクリーン上での配光パターンであり、図１０（ｂ）は、上述の第２レンズ３０による配光パターンを拡げる配光制御を行ったときのスクリーン上での配光パターンを等光度線で示した図である。
【００８０】
図１０（ａ）及び図１０（ｂ）を見比べればわかるように、図１０（ｂ）に示される第２レンズ３０による配光パターンを拡げる配光制御を行ったとき配光パターンＬＰも図１０（ａ）の配光パターンＬＰと同じ良好なカットオフラインを維持したまま、配光パターンＬＰが水平方向に拡がり視認性の高い良好なものになっている。
【００８１】
以上のような構成からなる第１実施形態の灯具ユニット１０では、カットオフラインを形成するのにシェード５０を用いているため、従来のように導光部を透過して漏れ光が発生し、グレア光となる恐れがない。
【００８２】
その上で、第２レンズ３０と光源２０との間には、第１レンズ４０が配置され、その第１レンズ４０によって、ライトコーンＬＣを変換しただけでは、第２レンズ３０に入射できない光を第２レンズ３０に入射させるように光を内向きに変換する配光制御を行っているので、小型の第２レンズ３０を光源２０に近づけて配置できる構成になっており、しかも高い光の利用効率を得ることができるようになっている。
【００８３】
（第２実施形態）
次に、本発明に係る第２実施形態について説明する。
第２実施形態の説明では、第１実施形態と同様の部分については、説明を割愛し、主に異なる点について説明を行う。
【００８４】
第１実施形態の配光パターンは、図１０（ｂ）に示した通りであり、図１０（ｂ）を見るとわかるように、配光パターンＬＰの中央側に逆台形状の光度の高い配光部分ＭＰがある。
【００８５】
このような光度の高い配光部分ＭＰがあると、その配光部分ＭＰが路面に強く映り込むことになるので暈すようにするのが好適である。
また、配光パターンＬＰの中央下側は、明暗境界線がハッキリした状態になっており、視認性を向上させるためには、この部分も暈すようにするのが好適である。
【００８６】
そこで、第２実施形態では、第１レンズ４０の配光制御をさらに工夫することで、配光部分ＭＰ及び配光パターンＬＰの中央下側の明暗境界線部分を暈すようにしている。
【００８７】
図１１は、図１０（ｂ）の配光パターンＬＰをさらに改善するためのポイントを説明するための図である。
図１１（ａ）は、第１レンズ４０、シェード５０及び光源２０の発光チップ２１を横から見た側面図である。
【００８８】
図１１（ｂ）は、図１１（ａ）の第１レンズ４０の出射面４１から照射される光のうち、点線で示したところより上側の出射面４１から照射される光で形成されるスクリーン上での配光パターンを等光度線で示した図である。
なお、図１１（ｂ）は、第２レンズ３０を透過後の配光パターンである。
【００８９】
また、図１１（ｃ）は、点線で示したところより下側の出射面４１から照射される光で形成されるスクリーン上での配光パターンを等光度線で示した図である。
なお、図１１（ｃ）も第２レンズ３０を透過後の配光パターンである。
そして、図１１（ｂ）及び図１１（ｃ）に示した配光パターンが多重されることで図１０（ｂ）の配光パターンＬＰが構成されることになる。
【００９０】
ここで、図１１（ｂ）に着目すると、図１０（ｂ）の配光パターンＬＰの中央に現れる逆台形状の光度の高い配光部分ＭＰと同様に逆台形状の高光度の配光部分ＭＰ’が見られる。
また、図１１（ｂ）の配光パターンの中央下側の明暗境界線の部分は、図１０（ｂ）の配光パターンＬＰの中央下側の明暗境界線部分と酷似した状態であることが見て取れる。
【００９１】
一方、図１１（ｃ）の配光パターンには、逆台形状の高光度の配光部分は見られず、また、配光パターンの中央下側の明暗境界線部分も図１０（ｂ）の配光パターンＬＰの中央下側の明暗境界線部分とそれほど酷似していない。
このことから、第１レンズ４０の出射面４１から照射される光で形成される配光部分ＭＰ’により、明暗境界線部分が生じていると考えられるため、明暗境界線を暈すためには、図１１（ｂ）の配光パターンを暈すようにすれば、良いと考えられる。
【００９２】
以下、具体的に図１１（ｂ）の配光パターンを暈すようにするための構成について説明する。
まず、図１１（ａ）に示す第１レンズ４０の出射面４１の点線より上側の出射面がどのように規定されるのかについて説明する。
【００９３】
点線より上側の出射面は、図１１（ａ）に示すように、第１レンズ４０の基本焦点ＰＦから第１レンズ４０の入射面４２に直線（矢印Ｔ３参照）を描いた時に、光源２０の光源光軸Ｚと直線（矢印Ｔ３参照）とがなす鉛直方向角度が所定角度β以上となる鉛直方向上側の上側入射面４２ｃに対応する出射面４１になっており、図１１（ａ）の点線は、上側入射面４２ｃに対応する出射面４１の下端である。
【００９４】
そして、この所定角度βは、光源２０の発光チップ２１の下端から第１レンズ４０の基本焦点ＰＦ（シェード５０の基準点ＣＰでもある）を通る直線（矢印Ｔ３参照）と光源２０の光源光軸Ｚとのなす角度になっており、本実施形態では所定角度βはほぼ３０°になっている。
【００９５】
そこで、この上側の出射面４１とそれよりも下側の出射面４１とを分割して配光制御を行うようにし、図１１（ｃ）に示した配光パターンはそのままで、図１１（ｂ）に示した配光パターンを暈すようにする。
【００９６】
具体的には、第２レンズ３０（図２参照）側から光を第２レンズ３０の基本焦点ＳＦ（図２参照）に向けて照射したときに、所定角度β以上となる鉛直方向上側の上側入射面４２ｃに対応する出射面４１において、第２レンズ３０の焦点が第２レンズ３０の基本焦点ＳＦに対して水平方向及び鉛直方向にズレるように第１レンズ４０の上側の出射面４１の形状を調節する。
【００９７】
図１２は、第２実施形態の第１レンズ４０を示した斜視図であり、図１２のＸ軸、Ｙ軸及びＺ軸は、第１実施形態のＸ軸、Ｙ軸及びＺ軸と同じである。
上述したように、第２実施形態の第１レンズ４０は、上側の出射面４１と下側の出射面４１を分割するようにすることで配光制御を行うようにする。
【００９８】
そのために、第２実施形態の第１レンズ４０は、図１１（ａ）を参照して説明したように、第１レンズ４０の基本焦点ＰＦから第１レンズ４０の入射面４２に直線を描いた時に、光源２０の光源光軸Ｚと直線（図１１（ａ）の矢印Ｔ３参照）とがなす鉛直方向角度が所定角度β以上となる鉛直方向上側の上側入射面４２ｃに対応する部分が、図１２に示すように、上側レンズ部４０ａとされている。
【００９９】
なお、このように上側レンズ部４０ａを構成する場合には、図６を参照して説明した第１実施形態の上部入射面４２ａ及び上部入射面４２ａに対応する上部出射面は、光源２０の光源光軸Ｚよりも上側で上側レンズ部４０ａに至るまでの範囲の上側レンズ部４０ａよりも下側に位置することになる第１レンズ４０のレンズ部分である。
【０１００】
また、図６を参照して説明した第１実施形態の下部入射面４２ｂ及び下部入射面４２ｂに対応する下部出射面は、第１実施形態と実質的に範囲が変わらないが、正確には、上側レンズ部４０ａよりも下側に位置することになる第１レンズ４０のレンズ部分に設けられていることになる。
【０１０１】
図１３は、上述の第２実施形態の第１レンズ４０の入射面４２の主要な範囲を光源２０側から見た図であり、Ｘ軸及びＹ軸は図１２と同様であり、図上側が鉛直方向上側である。
なお、図１３（ａ）は、第２レンズ３０の焦点位置を基準焦点ＳＦに対して鉛直方向にズラす内容を説明するための図であり、図１３（ｂ）は、焦点位置を水平方向にズラす内容を説明するための図である。
【０１０２】
具体的には、まず、図１３（ａ）に示すように、上側レンズ部４０ａ（図１２参照）は、上側入射面４２ｃに対応する上側出射面４１ｃ（図１２参照）が、上側入射面４２ｃの上側に対応する上側出射面４１ｃほど、図１３（ａ）に示す数値分だけ第２レンズ３０の焦点位置を第２レンズ３０の基本焦点ＳＦに対してズラすように、上側出射面４１ｃ（図１２参照）が形成されている。
【０１０３】
なお、図１３（ａ）に示す数値も図６で説明したのと同様に、数値間の間が補完されるようになっているものであり、数値の単位はｍｍである。
また、数値がプラスの場合は、第２レンズ３０の基本焦点ＳＦに対して鉛直方向上側に焦点位置がズレることを示している。
【０１０４】
ここで、鉛直方向における上下関係は、第２レンズ側から見ても同じであるので、図１３（ａ）に示す状態は、上側入射面４２ｃに対応する上側出射面４１ｃ（図１２参照）が、第２レンズ３０側から見たときに、上側入射面４２ｃの上側に対応する上側出射面４１ｃほど、第２レンズ３０の焦点位置を第２レンズ３０の基本焦点ＳＦに対して鉛直方向上側にズラすようになっている。
【０１０５】
さらに、上側レンズ部４０ａは、上側出射面４１ｃ（図１２参照）が第２レンズ３０の焦点位置を第２レンズ３０の基本焦点ＳＦに対して鉛直方向上側にズラすように形成されているだけでなく、水平方向にもズラすように形成されており、以下、この水平方向に焦点位置をズラすことについて図１３（ｂ）を参照して説明する。
【０１０６】
図１３（ｂ）に示す数値は、図１３（ａ）と同様に数値間の間が補完されるようになっているものであり、数値の単位もｍｍであるが、図１３（ｂ）のプラスの表記は基本焦点ＳＦの後方側から見て右側に焦点位置がズレることを表しており、マイナスの表記は左側に焦点位置がズレることを表している。
【０１０７】
そして、図１３（ｂ）に示す状態を第２レンズ３０側から見るようにした場合、左右の関係だけが逆転する。
したがって、第２実施形態の第１レンズ４０の上側レンズ部４０ａの上側出射面４１ｃ（図１２参照）は、第２レンズ３０側から見たときに、水平方向中央から右外側の上側入射面４２ｃに対応する上側出射面４１ｃほど、第２レンズ３０の焦点位置を第２レンズ３０の基本焦点ＳＦに対して右側にズラし、水平方向中央から左外側の上側入射面４２ｃに対応する上側出射面４１ｃほど、第２レンズ３０の焦点位置を第２レンズ３０の基本焦点ＳＦに対して左側にズラすように形成されている。
【０１０８】
第１レンズ４０の上側レンズ部４０ａを以上のように構成すると、まず、第２レンズ３０の焦点位置を第２レンズ３０の基準焦点ＳＦに対して鉛直方向上側にズラしたことによって図１１（ｂ）に示す配光パターンを下側に拡げるように暈すことができる。
【０１０９】
なお、このように配光制御しておくと、光源２０の鉛直方向の位置ズレが起きても上方側に光が照射されることが起き難くなるため、光源２０の鉛直方向の位置ズレによるグレア光の発生が起き難くなる。
【０１１０】
また、第２レンズ３０の焦点位置を第２レンズ３０の基準焦点ＳＦに対して水平方向にズラすことによって、配光パターンを水平方向に拡げて好適に図１１（ｂ）に示す配光パターンの逆台形状の光度の高い配光部分ＭＰ’を暈すことができる。
【０１１１】
この結果、図１１（ｂ）に示した配光パターンは、図１４に示すように、逆台形状の光度の高い配光部分ＭＰ’がなく、且つ、明暗境界線がハッキリした部分を有していない良好な配光パターンとなる。
【０１１２】
そして、図１５に図１１（ｃ）の配光パターンと図１４の配光パターンとが多重された配光パターンＬＰ（灯具ユニットとしての配光パターン）を示しているが、図１０（ｂ）の配光パターンＬＰに現れていた逆台形状の光度の高い配光部分ＭＰがなくなり、また、配光パターンの中央下側のハッキリとした明暗境界線もなくなっていることがわかる。
【０１１３】
ところで、第２実施形態の第１レンズ４０は、上部レンズ部４０ａを形成するように出射面４１を上側と下側とで分割しているため、図１２を見るとわかるように、上側出射面４１ｃとそれよりも下側の出射面４１との間に段差が存在する。
【０１１４】
この段差からの光が上方に照射されてグレア光にならないようにするために、図１２に示すように、上側レンズ部４０ａの上側出射面４１ｃと上側レンズ部４０ａの下側に位置する第１レンズ４０のレンズ部分４０ｂの出射面４１ｄとの繋がり面４５は、上側出射面４１ｃの下端から前方に延出して上側レンズ部４０ａの下側に位置する第１レンズ４０のレンズ部分４０ｂの出射面４１ｄの上端に繋がる延出面としておくことが好適である。
つまり、上側レンズ部４０ａの上側出射面４１ｃが下側に位置する第１レンズ４０の出射面４１ｄよりも前方側に位置しないようにするのが好適である。
【０１１５】
このように構成しておくと、繋がり面４５に入射する光が下方側に向くように照射されることになるのでグレア光の発生を抑制することができる。
【０１１６】
以上、具体的な実施形態を基に本発明の説明を行ってきたが、本発明は、上記実施形態に限定されるものではなく、技術的思想を逸脱することのない変更や改良を行ったものも発明の技術的範囲に含まれるものであり、そのことは当業者にとって特許請求の範囲の記載からである。
【符号の説明】
【０１１７】
１０                        灯具ユニット
２０                        光源
２０’                      仮想光源
２１                        発光チップ
２１ａ                      発光面
２２                        アルミ実装基板
３０                        第２レンズ
３１                        出射面
３２                        入射面
４０                        第１レンズ
４０ａ                      上側レンズ部
４０ｂ                      レンズ部分
４１                        出射面
４１ｃ                      上側出射面
４１ｄ                      出射面
４２                        入射面
４２ａ                      上部入射面
４２ｂ                      下部入射面
４２ｃ                      上側入射面
４５                        繋がり面
５０                        シェード
５１                        上辺
Ｃ                          コーン
ＣＰ                        基準点
Ｌ１                        光線
ＬＣ                        ライトコーン
ＬＯ                        光線
ＬＰ                        配光パターン
ＭＰ                        配光部分
ＭＰ’                      配光部分
ＰＦ                        第１レンズの基本焦点
ＳＦ                        第２レンズの基本焦点
Ｘ                          水平方向軸
Ｙ                          鉛直方向軸
Ｚ                          光源光軸
１０１Ｌ、１０１Ｒ            車両用前照灯
１０２                        車両
【図１】
2017050236.tif 000003
【図２】
2017050236.tif 000004
【図３】
2017050236.tif 000005
【図４】
2017050236.tif 000006
【図５】
2017050236.tif 000007
【図６】
2017050236.tif 000008
【図７】
2017050236.tif 000009
【図８】
2017050236.tif 000010
【図９】
2017050236.tif 000011
【図１０】
2017050236.tif 000012
【図１１】
2017050236.tif 000013
【図１２】
2017050236.tif 000014
【図１３】
2017050236.tif 000015
【図１４】
2017050236.tif 000016
【図１５】
2017050236.tif 000017